(57)【要約】【課題】ユーザの所望のページを表示するまで、画像を順次切り換えるページめくり動作中は、画像の一部分のみを切り換え、ユーザの所望のページを表示する場合は、画像の全体を表示することにより、ページめくり動作中の不揮発性表示部の消費電力を低減する画像表示装置を提供する。【解決手段】前進ボタン３ａ又は後退ボタン３ｂによるページめくりの指示が行なわれると、不揮発性表示部２の表示画面は全面表示がされる。ページめくりの指示が継続していると判断されたときは、不揮発性表示部２は表示画面の一部分領域２ｂのみが連続して切り換えられる。ユーザが所望のページの画像を表示画面の全面に表示させるために、ページめくりの指示を停止した場合は、指示が非継続と判断され、不揮発性表示部２は表示画面の全領域２ａ、２ｂに所望のページを表示する。この結果、ページめくりにより所望のページが表示されるまでに要する消費電力は低減される。【選択図】図１
2010204418.tif 000002
【特許請求の範囲】
【請求項１】
多数の画像の各々を表示するための表示データに従って各画像を多数の画素により表示画面上に表示し、表示される画像の表示を切り換えるための電圧が少なくとも１つの画素に印加され、電圧の印加後に画像の表示を保持することが可能な不揮発性表示部と、
前記表示画面上の少なくとも１つの画素の表示状態を変化させるための電圧を発生可能な電源部と、
前記表示画面の全面における多数の画素に前記電源部からの電圧を印加することにより画像を切り換える全面切換動作と、前記表示画面の所定部分における多数の画素に前記電源部からの電圧を印加することにより画像の一部を切り換える部分切換動作との、いずれかを実行可能な切換動作部と、
前記表示画面に表示される画像の切換を指示する指示部と、
前記指示部による切換の指示が継続しているか否かを判断する指示判断部と、
前記指示判断部により切換の指示が継続していると判断されたとき、前記部分切換動作の実行を前記切換動作部に指令する切換制御部と、
を備える画像表示装置。
【請求項２】
前記指示部は、画像の切換を指示するために操作可能な操作部材を有し、
前記指示判断部は、前記操作部材による操作が継続しているか否かを判断し、
前記切換制御部は、前記指示判断部により操作の継続が判断されている間、前記切換動作部に前記部分切換動作の実行を指令し、前記指示判断部により操作の継続が終了したと判断されたとき、前記切換動作部は前記不揮発性表示部の全面に画像を表示する、
ことを特徴とする請求項１に記載の画像表示装置。
【請求項３】
前記指示部は、画像の切換を指示するために操作可能な操作部材を有し、
前記指示判断部は、前記操作部材による操作が継続しているか否かを判断し、
前記操作部材により操作が行なわれたときに、前記切換制御部は前記切換動作部に前記全面切換動作の実行を指令し、
前記指示判断部により操作の継続が判断されたとき、前記切換制御部は前記切換動作部に前記部分切換動作を実行させる、
ことを特徴とする請求項１または２に記載の画像表示装置。
【請求項４】
前記指示部は、画像の切換を指示するために操作可能な操作部材を有し、
前記指示判断部は、前記操作部材が操作されたとき、計時動作を開始する計時部を有し、
前記指示判断部は、前記計時部により計時された一定時間経過後、前記操作部材による操作が継続しているか否かを判断し、
前記切換制御部は、前記指示判断部により一定時間の操作の継続が判断されたとき、前記切換動作部に前記部分切換動作の実行を指令し、前記指示判断部により操作の継続が終了したと判断されたとき、前記切換動作部は前記不揮発性表示部の全面に画像を表示する、
ことを特徴とする請求項１〜３のいずれかに記載の画像表示装置。
【請求項５】
前記指示部は、画像の切換を指示するために操作可能な操作部材を有し、
前記指示判断部は、前記操作部材が操作されたとき、計時動作を開始する計時部を有し、
前記指示判断部は、前記計時部により計時された一定時間内に、前記操作部材による操作が行なわれたとき、操作が継続と判断し、
前記切換制御部は、前記指示判断部により操作の継続が判断されたとき、前記切換動作部に前記部分切換動作の実行を指令し、前記指示判断部により操作の継続が終了したと判断されたとき、前記切換動作部は前記不揮発性表示部の全面に画像を表示する、
ことを特徴とする請求項１〜３のいずれかに記載の画像表示装置。
【請求項６】
前記指示部は、画像の切換を指示するために操作可能な操作部材を有し、
前記指示判断部は、前記操作部材が操作されたとき、計時動作を開始する計時部を有し、
前記指示判断部は、前記計時部により計時された一定時間経過後、前記操作部材による操作が継続しているか否かを判断し、
前記切換制御部は、前記計時部が前記一定時間を計時する間に、前記切換動作部に前記全面切換動作を実行させ、前記指示判断部により操作の継続が判断されたとき、前記切換動作部に前記部分切換動作の実行を指令し、
ことを特徴とする請求項１〜４のいずれかに記載の画像表示装置。
【請求項７】
前記指示部は、画像の切換を指示するために操作可能な操作部材を有し、
前記指示判断部は、前記操作部材が操作されたとき、計時動作を開始する計時部を有し、
前記指示判断部は、前記計時部により計時された一定時間内に、前記操作部材による操作が行なわれたとき、操作が継続と判断し、
前記切換制御部は、前記切換動作部に前記全面切換動作の実行を指令し、前記指示判断部により操作の継続が判断されたとき、前記切換動作部に前記部分切換動作の実行を指令する、
ことを特徴とする請求項１〜３及び５のいずれかに記載の画像表示装置。
【請求項８】
前記指示判断部が判断する一定時間は、前記表示画面の全面における多数の画素に前記電源部からの電圧を印加することにより画像の全面を切り換えるために要する時間である、
ことを特徴とする請求項６または７に記載の画像表示装置。
【請求項９】
前記切換動作部は、前記指示判断部により操作の継続が終了したと判断されたとき、部分的に表示されている画像の表示データに対して、前記部分切換動作が行われた前記表示画面の所定部分以外の残り部分における多数の画素に前記電源部からの電圧を印加することにより前記不揮発性表示部の全面に画像を表示する、
ことを特徴とする請求項１〜８のいずれかに記載の画像表示装置。
【請求項１０】
前記切換動作部は、前記部分切換動作を実行するとき前記表示画面上の同一の所定部分における多数の画素に前記電源部からの電圧を印加する、
ことを特徴とする請求項１〜９のいずれかに記載の画像表示装置。
【請求項１１】
前記表示画面の全面における多数の画素は、複数の画素グループに属する多数の画素から構成され、
前記切換動作部は、前記複数の画素グループに対応する複数のドライバを有し、
前記複数のドライバの各々は、対応する画素グループに属する多数の画素に前記電源部からの電圧を印加するために動作可能であり、
前記切換動作部は、前記部分切換動作を実行するとき、前記複数のドライバの中で、前記表示画面の所定部分以外の残り部分における多数の画素が属する少なくとも１つの画素グループに対応するドライバを停止させる、
ことを特徴とする請求項１〜１０のいずれかに記載の画像表示装置。
【請求項１２】
多数の画像の各々を表示するための表示データに従って各画像を多数の画素により表示画面上に表示し、表示される画像の表示を切り換えるための電圧が少なくとも１つの画素に印加され、電圧の印加後に画像の表示を保持することが可能な不揮発性表示部を備えた画像表示装置において、
前記不揮発性表示部の表示画面に表示される画像の切換を指示する指示ステップと、
前記指示ステップによる切換の指示が継続しているか否かを判断する指示判断ステップと、
前記指示判断ステップにより切換の指示が継続していると判断されないときに、前記不揮発性表示部の表示画面に表示された画像の全面を切り換える全面切換動作を指令し、前記指示判断ステップにより切換の指示が継続していると判断されたときに、画像の一部を切り換える部分切換動作を指令する切換制御ステップと、
前記切換制御ステップにより指令された切換動作に従って、少なくとも１つの画素に電圧を印加することにより前記不揮発性表示部の表示画面に表示される画像を切り換える切換動作ステップと、
を備える画像表示方法。
【請求項１３】
多数の画像の各々を表示するための表示データに従って画像を多数の画素により表示画面上に表示し、表示される画像の表示を切り換えるための電圧が少なくとも１つの画素に印加され、電圧の印加後に画像の表示を保持することが可能な不揮発性表示部を備え、切換動作指令に従って不揮発性表示部の表示を切り換える画像表示装置において、
前記不揮発性表示部の表示画面に表示される画像を切り換える指示を検出する指示検出ステップと、
前記指示検出ステップにより検出された切換の指示が継続しているか否かを判断する指示判断ステップと、
前記指示判断ステップにより切換の指示が継続していると判断されないときに、前記不揮発性表示部の表示画面に表示された画像の全面を切り換える全面切換動作を指令し、前記指示判断ステップにより切換の指示が継続していると判断されたときに、画像の一部を切り換える部分切換動作を指令する切換制御ステップと、
をコンピュータにより実現する画像表示プログラム。
【発明の詳細な説明】
【技術分野】
【０００１】
本発明は、利用者の指示に従って、表示画面上の画像をページ単位で切り換え、表示する画像表示装置に関する。
【背景技術】
【０００２】
従来、紙に印字されていた書籍などの多数ページの画像を、ページ単位で電子的に画面に表示する画像表示装置が存在する。例えば、特許文献１にはフレキシブルな電子ペーパーを複数束ねた電子ブックが開示されている。各々の電子ペーパーにセンサ部が設けられており、センサ部の曲がり方向、曲がり量及び曲がりの継続時間が検出される。利用者が画面の表示を切り換えるために特定の電子ペーパーを曲げると、センサ部は曲がり状態を検出する。センサ部が曲げられた状態が１秒継続されると、画面の表示が切り換えられる。その後も曲げた状態が継続される限り、０．５秒経過毎に次々と画面の表示が切り換えられる。このように、利用者は電子ペーパーの曲げ状態を継続する間は、ページめくり動作が実行される。このページめくり動作では、希望する画像が表示されるまでページ単位で画面の表示と切り換えとが交互に行われる。
【先行技術文献】
【特許文献】
【０００３】
【特許文献１】特開２００４−３１８１２３号公報
【発明の概要】
【発明が解決しようとする課題】
【０００４】
特許文献１に記載の電子ブックにおいては、利用者が希望する画像を表示するまで、ページ単位で表示画像の全面が切り換えられている。しかしながら、利用者は表示される一部の画像を見て、更なるページめくりを行うかを判断するのが一般的である。よって、ページめくり動作中に常に全面を切り換えることは電力を無駄に消費している。
【０００５】
よって、本発明の目的は、上述の問題を解決し、画像を順次切り換えるページめくり動作中は画像を部分的に表示することにより、ページめくり動作中の不揮発性表示部の電力消費を低減させる画像表示装置を提供することである。
【課題を解決するための手段】
【０００６】
この目的を達成するために、請求項１記載の画像表示装置は、多数の画像の各々を表示するための表示データに従って各画像を多数の画素により表示画面上に表示し、表示される画像を順次切り換えるための電圧が少なくとも１つの画素に印加され、電圧の印加後に画像の表示状態を保持することが可能な不揮発性表示部と、前記表示画面上の少なくとも１つの画素の表示状態を変化させるための電圧を発生可能な電源部と、前記表示画面の全面における多数の画素に前記電源部からの電圧を印加することにより画像の全面を切り換える全面切換動作と、前記表示画面の所定部分における多数の画素に前記電源部からの電圧を印加することにより画像の一部を切り換える部分切換動作との、いずれかを実行可能な切換動作部と、前記表示画面に表示される画像の切換を指示する指示部と、前記指示部による切換の指示が継続しているか否かを判断する指示判断部と、前記指示判断部により切換の指示が継続していると判断されたとき、前記部分切換動作の実行を前記切換動作部に指令する切換制御部を備える構成である。
【０００７】
請求項２記載の画像表示装置は、前記指示部は、画像の切換を指示するために操作可能な操作部材を有し、前記指示判断部は、前記操作部材による操作が継続しているか否かを判断し、前記切換制御部は、前記指示判断部により操作の継続が判断されている間、前記切換動作部に前記部分切換動作の実行を指令し、前記切換動作部は前記不揮発性表示部の全面に画像を表示することを特徴とする構成である。
【０００８】
請求項３記載の画像表示装置は、前記指示部は、画像の切換を指示するために操作可能な操作部材を有し、前記指示判断部は、前記操作部材による操作が継続しているか否かを判断し、前記操作部材により操作が行なわれたときに、前記切換制御部は前記切換動作部に前記全面切換動作の実行を指令し、前記指示判断部により操作の継続が判断されたとき、前記切換制御部は前記切換動作部に前記部分切換動作を実行させることを特徴とする構成である。
【０００９】
請求項４記載の画像表示装置は、前記指示部は、画像の切換を指示するために操作可能な操作部材を有し、前記指示判断部は、前記操作部材が操作されたとき、計時動作を開始する計時部を有し、前記指示判断部は、前記計時部により計時された一定時間経過後、前記操作部材による操作が継続しているか否かを判断し、前記切換制御部は、前記指示判断部により操作の継続が判断されたとき、前記切換動作部に前記部分切換動作の実行を指令し、前記指示判断部により操作の継続が終了したと判断されたとき、前記切換動作部は前記不揮発性表示部の全面に画像を表示することを特徴とする構成である。
【００１０】
請求項５記載の画像表示装置は、前記指示部は、画像の切換を指示するために操作可能な操作部材を有し、前記指示判断部は、前記操作部材が操作されたとき、計時動作を開始する計時部を有し、前記指示判断部は、前記計時部により計時された一定時間内に、前記操作部材による操作が行なわれたとき、操作が継続と判断し、前記切換制御部は、前記指示判断部により操作の継続が判断されたとき、前記切換動作部に前記部分切換動作の実行を指令し、前記指示判断部により操作の継続が終了したと判断されたとき、前記切換動作部は前記不揮発性表示部の全面に画像を表示することを特徴とする構成である。
【００１１】
請求項６記載の画像表示装置は、前記指示部は、画像の切換を指示するために操作可能な操作部材を有し、前記指示判断部は、前記操作部材が操作されたとき、計時動作を開始する計時部を有し、前記指示判断部は、前記計時部により計時された一定時間経過後、前記操作部材による操作が継続しているか否かを判断し、前記切換制御部は、前記計時部が前記一定時間を計時する間に、前記切換動作部に前記全面切換動作を実行させ、前記指示判断部により操作の継続が判断されたとき、前記切換動作部に前記部分切換動作を実行させることを特徴とする構成である。
【００１２】
請求項７記載の画像表示装置は、前記指示部は、画像の切換を指示するために操作可能な操作部材を有し、前記指示判断部は、前記操作部材が操作されたとき、計時動作を開始する計時部を有し、前記指示判断部は、前記計時部により計時された一定時間内に、前記操作部材による操作が行なわれたとき、操作が継続と判断し、前記切換制御部は、前記切換動作部に前記全面切換動作の実行を指令し、前記指示判断部により操作の継続が判断されたとき、前記切換動作部に前記部分切換動作を実行させることを特徴とする構成である。
【００１３】
請求項８記載の画像表示装置は、前記指示判断部が判断する一定時間は、前記表示画面の全面における多数の画素に前記電源部からの電圧を印加することにより画像の全面を切り換えるために要する時間であることを特徴とする構成である。
【００１４】
請求項９記載の画像表示装置は、前記切換動作部は、前記指示判断部により操作の継続が終了したと判断されたとき、前記部分切換動作が行われた前記表示画面の所定部分以外の残り部分における多数の画素に前記電源部からの電圧を印加することにより前記全面切換動作の全面に画像を表示することを実行することを特徴とする構成である。
【００１５】
請求項１０記載の画像表示装置は、前記切換動作部は、前記部分切換動作を実行するとき前記表示画面上の同一の所定部分における多数の画素に前記電源部からの電圧を印加することを特徴とする構成である。
【００１６】
請求項１１記載の画像表示装置は、前記表示画面の全面における多数の画素は、複数の画素グループに属する多数の画素から構成され、前記切換動作部は、前記複数の画素グループに対応する複数のドライバを有し、前記複数のドライバの各々は、対応する画素グループに属する多数の画素に前記電源部からの電圧を印加するために動作可能であり、前記切換動作部は、前記部分切換動作を実行するとき、前記複数のドライバの中で、前記表示画面の所定部分以外の残り部分における多数の画素が属する少なくとも１つの画素グループに対応するドライバを停止させることを特徴とする構成である。
【００１７】
請求項１２記載の画像表示方法は、多数の画像の各々を表示するための表示データに従って画像を多数の画素により表示画面上に表示し、表示される画像を順次切り換えるための電圧が少なくとも１つの画素に印加され、その画素への電圧の印加が遮断されたときに画像の表示状態を保持することが可能な不揮発性表示部を備えた画像表示装置において、前記不揮発性表示部の表示画面に表示される画像の切換動作を指示する指示ステップと、前記指示ステップによる切換動作の指示が継続しているか否かを判断する指示判断ステップと、前記指示判断ステップにより切換動作の指示が継続していると判断されないときに、前記不揮発性表示部の表示画面に表示された画像の全面を切り換える全面切換動作を指令し、前記指示判断ステップにより切換動作の指示が継続していると判断されたときに、画像の一部を切り換える部分切換動作を指令する切換制御ステップと、前記切換制御ステップにより指令された切換動作に従って、少なくとも１つの画素に電圧を印加することにより前記不揮発性表示部の表示画面に表示される画像を切り換える切換動作ステップを備える構成である。
【００１８】
請求項１３記載の画像表示プログラムは、多数の画像の各々を表示するための表示データに従って各画像を多数の画素により表示画面上に表示し、表示される画像を順次切り換えるための電圧が少なくとも１つの画素に印加され、その画素への電圧の印加が遮断されたときに画像の表示状態を保持することが可能な不揮発性表示部を備え、切換動作指令に従って不揮発性表示部の表示を切り換える画像表示装置において、前記不揮発性表示部の表示画面に表示される画像を切り換える指示を検出する指示検出ステップと、前記指示検出ステップにより検出された切換動作の指示が継続しているか否かを判断する指示判断ステップと、前記指示判断ステップにより切換動作の指示が継続していると判断されないときに、前記不揮発性表示部の表示画面に表示された画像の全面を切り換える全面切換動作を指令し、前記指示判断ステップにより切換動作の指示が継続していると判断されたときに、画像の一部を切り換える部分切換動作を指令する切換制御ステップを備える構成である。
【発明の効果】
【００１９】
請求項１記載の画像表示装置においては、切換動作部が部分切換動作を行い、ユーザの希望する画像が不揮発性表示部に表示されるまでの間、表示画面の所定部分以外は切り換えられない。この結果、前記不揮発性表示部の表示の切り換え時の消費電力は、常に全面切換動作で表示を行う場合に比べて低減される。
【００２０】
請求項２記載の画像表示装置においては、指示判断部により操作の継続が終了したと判断されたとき、表示部が部分切換動作での表示から全面切換表示へ切り換えられる。この結果、ユーザは、操作部材による操作の継続または終了という簡単な操作で表示部に部分切換表示または全面切換表示を行わせることができる。
【００２１】
請求項３記載の画像表示装置においては、指示判断部により操作の継続が判断されると、切換動作部は部分切換動作を実行する。この結果、ユーザは、操作部材を操作してから、その操作を継続するのみの簡単な操作で、全面切換動作を終了して部分切換動作の開始を指示することができる。
【００２２】
請求項４記載の画像表示装置においては、操作部材が一定時間に操作されたか否かにより、操作の継続または非継続が判断される。継続の判断によって、切換動作部は部分切換動作を実行する。この結果、継続の判断基準は一定時間の経過後に操作を判断することにより、切換動作のタイミングの判断が明確になり、指示判断部による継続または非継続の判断に応じて、切換動作部は部分切換動作での表示と全面切換表示とを正確なタイミングで実行することができる。また、全面切換動作を行いたい場合は、ユーザは操作部材の操作を終了するだけで、全面切換動作を簡単に実行することができる。
【００２３】
請求項５記載の画像表示装置においては、計時部が一定時間を計時し、一定時間内に操作が行なわれたときに、指示判断部は操作の継続と判断し、切換動作部が部分切換動作を実行する。この結果、指示判断部は一定時間内の操作によってユーザの表示切換意思を判断することができ、切換動作部はユーザの意思に従い部分切換動作での表示と全面切換表示との切り換えを行うことができる。また、指示判断部が一定時間内に操作が行われたと判断した時点で、切換制御部は切換動作部に部分切換動作の実行を指令することができる。これによりユーザは、一定時間を待つことなく、表示切換意思を示すことで、部分切換動作を行うまでの時間が短縮される。
【００２４】
請求項６記載の画像表示装置においては、操作部材が一定時間に操作されたか否かにより、操作の継続または非継続が判断される。継続の判断によって、切換動作部は部分切換動作を実行する。この結果、継続の判断基準は一定時間の経過後に操作を判断することにより、切換動作のタイミングの判断が明確になる。指示判断部が継続または非継続の判断を行い、切換制御部は切換動作部に全面切換動作と部分切換動作との実行を正確なタイミングで指令することができる。また、操作部材が操作されてから一定時間の間、全面切換動作が実行されることから、ユーザは一定時間の間に書き換えられる領域の表示から、表示形式及びその内容を最初の全面表示から容易に理解し、部分切換動作を指示することができる。更に、操作開始時から切換動作部が部分切換動作で表示した場合は、所望のページを全面表示状態で表示するためには改めて切換動作を行わなければならない。これに対し、本発明では操作開始時から切換動作部が全面切換動作を行う。よって、指示判断部により操作の継続が判断されるまでの間に不揮発性表示部に現れる表示画面が、ユーザの所望のページであった場合には、改めて切換動作部がページを全面表示状態で表示するための切換動作を行う必要がない。
【００２５】
請求項７記載の画像表示装置においては、指示判断部は計時部により計時される一定時間内に操作部材によって操作が行なわれたときに操作の継続と判断し、切換動作部が部分切換動作を実行する。この結果、指示判断部は操作部材の操作によってユーザの表示切換意思を判断することができ、切換動作部は全面切換動作と部分切換動作との切り換えを、ユーザの意思によってユーザが一定時間の経過を待つことなく、迅速なタイミングで実行させることができる。また、操作開始時から部分切換動作が行われた場合には、不揮発性表示部にユーザ所望のページを全面表示状態で表示するためには切換動作部が改めて切換動作を行わなければならない。これに対し、本発明では操作開始時から切換動作部が全面切換動作を行う。よって、指示判断部が操作の継続を判断するまでの間に現れる表示画面が、所望のページであった場合には、改めて切換動作部がページを全面表示状態で表示するために切換動作を行う必要がない。
【００２６】
請求項８記載の画像表示装置においては、指示判断部が操作の継続か否かを判断する一定時間が全面切換動作に要する時間である。この結果、切換動作部が全面切換動作を行う時間が経過するまでの間、ユーザは、現在の表示画面の内容を正確に理解するための時間を持つことができ、その表示画面を保持するのか、または表示画面を切り換える場合には全面切換動作と部分切換動作とのいずれかを切り換える決断することができる。
【００２７】
請求項９記載の画像表示装置においては、指示判断部が操作の継続が終了されたと判断したとき、切換動作部は部分切換動作を行った所定部分以外の残り部分のみに電圧を印加する。この結果、不揮発性表示部の全面表示を行うために必要な電力が残り部分の表示部の切り換えに必要な最小限の電力に抑えられる。
【００２８】
請求項１０記載の画像表示装置においては、切換動作部は部分切換動作を続けて行う場合は、不揮発性表示部の表示画面上の同一の所定部分を切り換える。この結果、ユーザは同一の所定部分を注視していればよく、部分切換動作が行われた所定部分の表示内容を容易に認識することができる。また、ユーザは切換動作部が部分切換動作を行う度に切り換えを行う所定部分を特定する必要がない。
【００２９】
請求項１１記載の画像表示装置においては、切換動作部が部分切換動作を実行する時に、切換制御部は、複数の画素グループに対応する複数のドライバのうち部分切換動作に使用されないドライバを停止させる。この結果、部分切換動作に使用されないドライバが電力を消費することがなく、不必要な電力消費が抑えられる。
【００３０】
請求項１２記載の画像表示方法においては、指示ステップによる指示が継続していると指示判断ステップにより判断される場合は、切換動作ステップが部分切換動作を行い、ユーザの希望するページの画像が不揮発性表示部に表示されるまでの間、不揮発性表示部の表示画面の所定部分以外は切り換えられない。この結果、切換動作ステップが常に全面切換動作で表示を行う場合に比べ、不揮発性表示部の表示の切り換え時に電力の消費が低減される。
【００３１】
請求項１３記載の画像表示プログラムにおいては、指示判断ステップにより不揮発性表示部の切換動作の指示が継続していると判断されたとき、切換制御ステップは不揮発性表示部の表示の一部を切り換える部分切換動作を行うように指令する。ユーザの希望するページの画像が前記不揮発性表示部に表示されるまで、不揮発性表示部の一部の領域以外は切り換えない部分切換動作が指令されるので、常に全面切換動作で表示を行う場合に比べて前記不揮発性表示部の表示の切り換え時に電力の消費が低減される。
【図面の簡単な説明】
【００３２】
【図１】第１の実施形態に係る画像表示装置の外観を示す正面図である。
【図２】第１の実施形態における不揮発性表示部の空間を拡大して示す拡大図である。
【図３】図２に示す上記空間の内部構成を拡大して示すＡ−Ａ線に従う断面図である。
【図４】上記画像表示装置の電気的構成を示すブロック図である。
【図５】第１の実施形態におけるＲＯＭに記憶されるプログラムの記憶領域を示す説明図である。
【図６】第１の実施形態におけるＲＡＭに一時記憶されるデータの記憶領域を示す説明図である。
【図７】上記不揮発性表示部と切換動作部との電気的構成を示すブロック図である。
【図８】第１の実施形態における切換メイン処理を示すフローチャートである。
【図９】上記切換メイン処理において不揮発性表示部の表示画面の遷移する状態を示す説明図である。
【図１０】第１の実施形態における切換指示監視処理を示すフローチャートである。
【図１１】第１の実施形態における全面切換サブルーチンを示すフローチャートである。
【図１２】第１の実施形態における部分切換サブルーチンを示すフローチャートである。
【図１３】第１の実施形態における未切換部切換サブルーチンを示すフローチャートである。
【図１４】第２の実施形態における切換メイン処理を示すフローチャートである。
【発明を実施するための形態】
【００３３】
＜第１の実施形態＞
以下、本発明に係る画像表示装置の第１の実施形態について図面を参照して説明する。
【００３４】
＜画像表示装置の基本構造＞
まず、図１を参照して、第１の実施形態に係る画像表示装置１の外観的な構成を説明する。図１は、画像表示装置１の正面図である。不揮発性表示部２が、画像表示装置１の正面に配置されている。不揮発性表示部の表示領域は、左半分領域２ａ、右半分領域２ｂとからなる。不揮発性表示部２は、文字、記号及び図形を含む多数ページの画像を表示し、電力供給が断たれても表示状態を保持することが可能である。第１の実施形態では、不揮発性表示部２の一例として、電気泳動表示装置が使用される。また、前進ボタン３ａと後退ボタン３ｂとが不揮発性表示部２の左側に配置されている。前進ボタン３ａは、表示を１ページ前の画像に変更するために操作可能であり、後退ボタン３ｂは、表示を１ページ後の画像に変更するために操作可能である。電源ボタン３ｃが、不揮発性表示部２の左側であって、前進ボタン３ａ及び後退ボタン３ｂの下方に配置されている。尚、第１の実施形態における不揮発性表示部２が本発明の不揮発性表示部の一例であり、前進ボタン３ａと後退ボタン３ｂとが、本発明の操作部材の一例である。
【００３５】
図２及び図３を参照して、不揮発性表示部２の具体的構成について説明する。第１の実施形態の不揮発性表示部２は、電気泳動ディスプレイ（ＥＰＤ）を例に説明するが、これに限らない。例えば、帯電微粉末トナーを用いるものや、エレクトロミックディスプレイ（ＥＣＤ）、不揮発性表示型の液晶ディスプレイであるコレステリック液晶などを用いてもよい。図２は不揮発性表示部２の拡大図であり、不揮発性表示部２に表示される画像を構成する多数の空間２０の配列を示している。説明の便宜上、図２では、不揮発性表示部２における４×４の空間２０を示している。
【００３６】
図３を参照して、不揮発性表示部２の内部構成を説明する。図３は、図２のＡ―Ａ線矢視方向断面図であり、連続した２つの空間２０を示している。図３における上方を不揮発性表示部２の上側とし、図３における下方を不揮発性表示部２の下側とする。素子基板２１が不揮発性表示部２の底面に配置されており、画素電極２２が素子基板２１上に配列されている。仕切板２３が、画素電極２２の配置位置に合わせて画素電極２２の周囲を区切る。仕切板２３の区切りにより、各空間２０が画素電極２２上に形成される。空間２０には白色帯電粒子２４と黒色帯電粒子２５とが混在しており、分散媒２６が封入されている。白色帯電粒子２４及び黒色帯電粒子２５と、分散媒２６は、比重が略同じであり、空間２０内の各粒子及び分散媒２６の分布状態は保たれている。また、透明電極２７が仕切板２３を支えとして、画素電極２２に対向するように配置されており、表示パネル２８が透明電極２７上に配置されている。尚、第１の実施形態における１つの画素電極２２に電圧が印加されることにより白色帯電粒子２４及び黒色帯電粒子２５が移動し、表示画面上の色が変わる領域が、本発明の１つの画素に対応する。第１の実施形態では、画素電極２２に正の電圧が印加されると、黒色帯電粒子２５が上側へ移動し、白色帯電粒子２４が下側へ移動して、不揮発性表示部２には黒色が表示される。画素電極２２に負の電圧が印加されると、白色帯電粒子２４が上側へ移動し、黒色帯電粒子２５が下側へ移動して、不揮発性表示部２には白色が表示される。尚、第１の実施形態における切り換えられるとは、画素の表示状態を変化させることである。表示状態は、画素電極２２に電圧が印加され、粒子が移動することにより、変化される。電圧は、画素の表示状態を保持するためには印加されない。
【００３７】
＜画像表示装置の電気的構成＞
図４を参照し、画像表示装置１の電気的構成について説明する。図４は画像表示装置１の電気的構成を示すブロック図である。図４に示すように、画像表示装置１は、不揮発性表示部２と、操作部３と、制御部４と、切換動作部５と、バッテリ６とにより構成される。メモリカード７は、インタフェース８を介して画像表示装置１に着脱可能に接続される。
【００３８】
インタフェース８は、操作部３とメモリカード７とに接続している。操作部３は、前進ボタン３ａと後退ボタン３ｂとを含む複数のボタンで構成される。操作部３が押下されると、インタフェース８は、操作信号を制御部４に供給する。メモリカード７は不揮発性表示部２に表示するための表示データを記憶している。表示データは、テキストデータ及びイメージデータなどの表示可能なデータである。メモリカード７は、表示データの読み出しと書き込みとを行うことが可能である。メモリカード７に記憶される表示データは、インタフェース８を通して、制御部４に供給される。尚、第１の実施形態における前進ボタン３ａ及び後退ボタン３ｂが押下される動作が、本発明の指示ステップの一例である。
【００３９】
＜制御部の電気的構成＞
制御部４は、画像表示装置１全体の主制御を行うＣＰＵ４１と、複数のプログラムが記憶されたＲＯＭ４２と、フラグ及びデータを一時的に記憶するＲＡＭ４３と、計時を行うＲＴＣ４４（Ｒｅａｌ  Ｔｉｍｅ  Ｃｌｏｃｋ）とによって構成される。ＣＰＵ４１は、インタフェース８を介して操作部３及びメモリカード７と接続される。さらに、ＣＰＵ４１は切換動作部５に接続される。
【００４０】
図５を参照し、ＲＯＭ４２の記憶内容を説明する。図５はＲＯＭ４２に記憶されたプログラムの記憶領域を示している。ＲＯＭ４２は、記憶領域４２１〜４２４の４つの領域から構成される。記憶領域４２１は、切換メイン処理プログラムＰ１を記憶する。切換メイン処理プログラムＰ１は、不揮発性表示部２の表示画面の一部又は全面領域において表示を切り換えるプログラムである。記憶領域４２２は、切換指示状態監視プログラムＰ２を記憶する。切換指示状態監視プログラムＰ２は、ユーザが行う前進ボタン３ａ又は後退ボタン３ｂの押下を検知により、不揮発性表示部２の表示を切り換える指示の有無を判断するプログラムである。記憶領域４２３は、画素指定プログラムＰ３を記憶する。画素指定プログラムＰ３は、メモリカード７から読み出された表示データを解析し、不揮発性表示部２に表示する画素の色を特定するプログラムである。記憶領域４２４は、計時プログラムＰ４を記憶する。計時プログラムＰ４は、切換処理が行なわれる時に計時の開始を指令し、一定時間経過後に計時の終了を指令するプログラムである。
【００４１】
図６を参照して、ＲＡＭ４３の記憶内容を説明する。図６はＲＡＭ４３に一時記憶されるデータ及びフラグの記憶領域を示す。ＲＡＭ４３は、一時記憶領域４３１、４３２の２つの領域から構成される。一時記憶領域４３１は、表示画素データＤ１を記憶する。表示画像データＤ１は、画素指定プログラムＰ３によって特定された不揮発性表示部２に表示する画素の色情報である。一時記憶領域４３２は、指示フラグ及び現表示データ情報Ｄ２を記憶する。指示フラグ及び現表示データ情報Ｄ２は、切換指示状態監視プログラムＰ２により判断される不揮発性表示部２の表示の切換指示を表すフラグと、不揮発性表示部２に表示された表示データの情報である。現表示データ情報は、例えばページ番号である。
【００４２】
図４のＲＴＣ４４は、計時プログラムＰ４が実行されるとＣＰＵ４１からの計時開始の制御信号を受け取り、計時を開始する。またＲＴＣ４４は、ＣＰＵ４１から計時終了の制御信号を受け取ると、計時を終了する。
【００４３】
＜不揮発性表示部及び切換動作部の電気的構成＞
図４を参照して不揮発性表示部２と切換動作部５との電気的構成を説明する。切換動作部５は、コントローラ部５１と、ドライバ５２と、薄膜トランジスタ５３（Ｔｈｉｎ  Ｆｉｌｍ  Ｔｒａｎｓｉｓｔｏｒ：以下、「ＴＦＴ」という。）とにより構成される。コントローラ部５１はＣＰＵ４１と電気的に接続され、ドライバ５２がコントローラ部５１に接続されている。尚、第１の実施形態における切換動作部５が本発明の切換動作部の一例である。
【００４４】
コントローラ部５１がドライバ５２を制御することにより、不揮発性表示部２の表示が切り換えられる。コントローラ部５１は、ＣＰＵ４１から、不揮発性表示部２の表示を行う領域を示す切換領域情報と、不揮発性表示部の表示を切り換える色を示す色情報とを受け取る。切換領域情報とは、不揮発性表示部２の表示の左半分領域２ａと、右半分領域２ｂと、半分領域２ａ、２ｂの両領域とから選択され、切り換える領域を指定された情報である。コントローラ部５１は、切換領域情報に基づいて、切換領域に対応するドライバ５２を指定する。コントローラ部５１は、色情報に基づいて、画素の表示状態を変化させるために必要な電圧値と電圧極性とを決定する。コントローラ部５１は、切換領域に含まれるドライバ５２を起動させ、決定された電圧をドライバ５２に印加させる。その結果、不揮発性表示部２は、ＣＰＵ４１によって特定された切換領域において、表示を切り換える。
【００４５】
＜ドライバとＴＦＴの接続関係＞
図７に示すように、ドライバ５２は、複数のゲートドライバ５２１と複数のソースドライバ５２２とから構成される。図７は、第１の実施形態におけるドライバ５２の一部の構成を示し、一部の構成として２台のゲートドライバ５２１ａ、５２１ｂと２台のソースドライバ５２２ａ、５２２ｂとを示している。各ゲートドライバ５２１ａ、５２１ｂには多数のゲート線５２３が接続され、各ソースドライバ５２２ａ、５２２ｂは多数のソース線５２４が接続されている。ゲート線５２３とソース線５２４とは、互いに交差するように配線されている。ＴＦＴ５３が、ゲート線５２３とソース線５２４との各交差部近傍に接続されている。ＴＦＴ５３のゲート端子５３１がゲート線５２３に接続され、ＴＦＴ５３のソース端子５３２がソース線５２４に接続されている。また、ＴＦＴ５３のドレイン端子５３３が不揮発性表示部２の一部である画素電極２２に接続されている。尚、第１の実施形態におけるゲートドライバ５２１とソースドライバ５２２が本発明のドライバの一例である。
【００４６】
ソース線５２４への印加電圧は、不揮発性表示部２の透明電極２７の電位を基準電位として定められた電圧である。ドライバ５２は画素電極２２に電圧を印加する。コントローラ部５１はドライバ５２がゲート線５２３またはソース線５２４に印加する電圧を制御する。ゲートドライバ５２１は、ゲート線５２３にＴＦＴ５３をオンにするためのゲート電圧を印加する。ＴＦＴ５３は、ゲート電圧が印加されるか否かで、オン・オフ制御を行う。ゲート電圧がゲート線５２３を通しＴＦＴ５３のゲート端子５３１に印加されると、ＴＦＴ５３がオンとなり、ソース線に印加された電圧が画素電極２２に印加され、画素の表示状態の変化が可能となる。ソースドライバ５２２は、正の電圧と負の電圧とを切り換えて選択的にソース線５２４に発生させ、画素電極２２に印加する。尚、第１の実施形態では、不揮発性表示部２はアクティブマトリクス方式であるが、単純マトリクス方式で構成されていてもよい。
【００４７】
＜画像表示装置の動作及び作用＞
以上説明した構成を備える第１の実施形態に係る画像表示装置１の動作及び作用について、図面を参照して説明する。図８は、切換メイン処理の手順を示すフローチャートである。図９は、不揮発性表示部２の表示画面の状態を表し、図９（Ａ）〜（Ｄ）は切換メイン処理実行時において、不揮発性表示部２の表示画面が順に遷移する状態を示す説明図である。図１０は、不揮発性表示部２の表示画面を切り換える指示が入力されたか否かの入力状態を検知する切換指示の監視処理を示すフローチャートである。切換メイン処理は、電源ボタン３ｃが押下されて、バッテリ６が画像表示装置１に接続されることにより動作する。バッテリ６からの電力が制御部４に供給された場合に、制御部４が切換メイン処理プログラムを実行する。第１の実施形態の動作は、全て制御部４のＣＰＵ４１により実行される処理である。図９（Ａ）は、画像表示装置１にバッテリ６が接続された時に、不揮発性表示部２が表示している表示状態を示す図である。図９（Ａ）に示す表示状態では、不揮発性表示部２の両半分領域２ａ、２ｂの全面に表示が行われる。不揮発性表示部２の表示状態は、不揮発性表示部２へパルス電圧が印加されなくても保持されている。以下、図９に示す切換メイン処理のフローチャートに沿って説明する。第１の実施形態では、操作部３の後退ボタン３ｂがユーザにより押下された場合に、不揮発性表示部２に表示された画像が、１ページ次の画像へ切り換えられる処理手順を説明する。第１の実施形態における制御部４は、１つのＣＰＵ４１が、時分割された所定の周期毎に、複数の制御プログラムを切り換えながら所定の順番で実行するタイムシェアリング方式（時分割処理方式）で動作し、切換メイン処理を実行する間に、切換指示監視処理を実行することが可能な構成である。また、制御部は、複数のＣＰＵが、複数の制御プログラムを各々別個の処理として実行するマルチ処理方式（多重処理方式）で動作してもよい。
【００４８】
＜切換指示の監視＞
ステップＳＡ１では、切換指示の監視処理が開始される。切換指示監視処理では、不揮発性表示部２の表示の切換指示が行なわれたか否かが繰り返し判断される。以下、図１０を参照し切換指示の監視処理を説明する。
【００４９】
切換指示監視処理におけるステップＳＢ１では、前進ボタン３ａ又は後退ボタン３ｂのどちらか１つによる、不揮発性表示部の表示を切り換える指示が検知されたか否かが判断される。切換指示が検知されると（ＳＢ１：ＹＥＳ）、ステップＳＢ２が実行される。切換指示は、一定時間の間、前進ボタン３ａ又は後退ボタン３ｂによる指示が検知され続けた場合に、検知されたと判断される。尚、この一定時間は、後述の切換処理時に計時される０．７秒以内とする。第１の実施形態において、０．２秒指示が検知され続けたとき、切換指示が検知されたと判断する。切換指示の入力が検知されない場合（ＳＢ１：ＮＯ）は、ステップＳＢ３の処理が実行される。尚、第１の実施形態におけるＳＢ１の処理が本発明の指示検出ステップの一例である。
【００５０】
ステップＳＢ２では、ステップＳＢ１において検知された切換指示の入力情報が、ＲＡＭ４３の一時記憶領域４３２に指示フラグＤ２として記憶される。すなわち、切換指示状態を表す指示フラグＤ２がセットされ、切換指示がある状態を表す。
【００５１】
ステップＳＢ３では、切換指示監視処理を終了させる指示がされたか否かが判断される。切換指示監視処理は、切換メイン処理のＳＡ１３において、画像表示装置１の電源をＯＦＦとする指示がされたことが検知されると、切換メイン処理のＳＡ１４から終了が指示される。切換指示監視の終了が指示されたと判断されない場合（ＳＢ３：ＮＯ）は、ステップＳＢ１の処理が実行される。切換メイン処理のＳＡ１４による切換指示監視の終了が指示されたと判断されると（ＳＢ３：ＹＥＳ）、切換指示監視が終了される。制御部４は、切換指示監視処理が終了されることにより、タイムシェアリング処理方式での動作を終了する。
【００５２】
＜切換メイン処理説明＞
ステップＳＡ２では、切換指示情報である指示フラグが取得される。ステップＳＡ１で開始された指示状態監視処理におけるステップＳＢ２において、ＲＡＭ４３の一時記憶領域４３２に指示フラグＤ２が記憶されていれば、指示フラグＤ２が取得される。
【００５３】
ステップＳＡ３では、ステップＳＡ２において指示フラグＤ２が取得されたか否かが判断される。指示フラグＤ２が取得されたと判断されると（ＳＡ３：ＹＥＳ）、切換指示がユーザにより行なわれたと判断し、ステップＳＡ４の処理が実行される。指示フラグＤ２が取得されたと判断されない場合（ＳＡ３：ＮＯ）は、ステップＳＡ２の処理が実行される。
【００５４】
ステップＳＡ４では、ＲＡＭ４３の一時記憶領域１３２に記憶された指示フラグＤ２をリセットする処理が実行される。すなわち、指示フラグＤ２はリセットされて、切換指示がない状態を表す。
【００５５】
ステップＳＡ５では、全面切換処理が実行される。全面切換処理は、不揮発性表示部２の全面を対象に、つまり、半分領域２ａ、２ｂの両領域を対象に表示を切り換える処理である。全面切換処理が行なわれると、図９（Ａ）に示す表示状態にある不揮発性表示部２の表示画面は、図９（Ｂ）に示す表示状態に切り換えられる。
【００５６】
ステップＳＡ６では、指示フラグＤ２が取得される。ステップＳＡ４の処理により指示フラグＤ２がリセットされた以後に、ＲＡＭ４３の指示フラグＤ２が新たにセットされていれば、指示フラグＤ２が取得される。
【００５７】
ステップＳＡ７では、ステップＳＡ６において指示フラグＤ２が取得されたか否かが判断される。指示フラグＤ２が取得されたと判断された場合は（ＳＡ７：ＹＥＳ）、切換指示が継続して行われていると判断され、ステップＳＡ８の処理が実行される。指示フラグＤ２が取得されたと判断されず（ＳＡ７：ＮＯ）、切換指示が継続して行われていないと判断されると、ステップＳＡ２の処理が実行される。即ち、ステップＳＡ７では、ステップＳＡ５の全面切換処理後に、指示フラグＤ２が取得されていないと判断された場合は、全面切換処理が一回行なわれ、新たに切換指示が検知され指示フラグＤ２が取得されるまでステップＳＡ２とステップＳ３の処理が繰り返される。その後、ステップＳ３において改めて指示フラグＤ２が取得されたと判断されると、再び全面切換処理が実行される。全面切換処理時に切換指示が検知され、全面切換処理後に指示フラグＤ２が取得されたと判断された場合は、切換指示が継続して行われていると判断され、続けてステップＳＡ８の処理が実行される。
【００５８】
ステップＳＡ８では、ステップＳＡ６において取得されたＲＡＭ４３の一時記憶領域４３２にセットされた指示フラグＤ２をリセットする処理が実行される。
【００５９】
ステップＳＡ９では、部分切換処理が実行される。部分切換処理は、不揮発性表示部２の表示領域の右半分領域２ｂのみを対象に、表示を切り換える処理である。その結果、不揮発性表示部２の表示は、図１に示す右半分領域２ｂのみが新たな表示状態に切り換えられる。図１に示す左半分領域２ａは、全面切換処理で表示された表示状態が保持される。部分切換処理が行われると、不揮発性表示部２の表示画面は図９（Ｃ）に示す表示状態に切り換えられる。
【００６０】
ステップＳＡ１０では、指示フラグＤ２が取得される。ステップＳＡ８の処理により指示フラグＤ２がリセットされた以後に、ＲＡＭ４３の指示フラグＤ２が新たにセットされていれば、指示フラグＤ２が取得される。
【００６１】
ステップＳＡ１１では、ステップＳＡ１０において指示フラグＤ２が取得されたか否かが判断される。指示フラグＤ２が取得されたと判断された場合は（ＳＡ１１：ＹＥＳ）、切換指示が継続して行われていると判断され、ステップＳＡ８の処理が実行される。指示フラグＤ２が取得されたと判断されず（ＳＡ１１：ＮＯ）、切換指示が継続して行われていないと判断されると、ステップＳＡ１２の処理が実行される。
【００６２】
ステップＳＡ１２では、未切換部切換処理が実行される。未切換部切換処理は、部分切換処理により切り換えられなかった不揮発性表示部２の左半分領域２ａの表示を切り換える処理である。不揮発性表示部２の右半分領域２ｂは、部分切換処理が行なわれた時の表示状態が保持される。その結果、不揮発性表示部２の左半分領域２ａと右半分領域２ｂとが同一ページの全面を表示する。不揮発性表示部２が図９（Ｃ）に示す表示状態にある場合に、未切換部切換処理が実行されると、不揮発性表示部２は図９（Ｄ）に示す表示状態に切り換えられる。尚、第１の実施形態におけるステップＳＡ３、ステップＳＡ７又はステップＳＡ１１の処理が、本発明の指示判断ステップの一例であり、第１の実施形態における制御部４と、ステップＳＡ３、ステップＳＡ７又はステップＳＡ１１の処理が、本発明の指示判断部の一例である。
【００６３】
以下、図１１〜１３を参照して、第１の実施形態における不揮発性表示部２の表示の切換動作について説明する。切換動作は、図９に示す切換メイン処理中のステップＳＡ５の全面切換処理、ステップＳＡ９の部分切換処理、及びステップＳＡ１２の未切換部切換処理により実行される。
【００６４】
＜全面切換処理＞
図１１は、不揮発性表示部２の両半分領域２ａ、２ｂを対象に切換動作する全面切換処理を示すフローチャートである。全面切換処理が実行されると、ステップＳＡＡ１では、ＲＡＭ４３の一時記憶領域４３１から、不揮発性表示部２に表示させるページの表示画素データＤ１が読み出される。表示させるページは、一時記憶領域４３２に記憶された現表示データのページ番号の、次のページ番号のページとする。尚、ステップＳＡＡ１が実行されるときに、不揮発性表示部２の表示画面は図９（Ａ）に示す表示状態にあるものとする。
【００６５】
ステップＳＡＡ２では、カウントが開始される。ステップＳＡＡ２では、制御部４が備えるＲＴＣ４４により、計時が開始される。
【００６６】
ステップＳＡＡ３では、全面切換動作が開始される。全面切換動作は、不揮発性表示部２の両半分領域２ａ、２ｂの全面を対象に表示を切り換える。ステップＳＡＡ１で読み出された特定の表示画素データＤ１に基づいて、不揮発性表示部２の表示画面の切り換えが実行される。ステップＳＡＡ３では、切り換える領域が半分領域２ａ、２ｂの両領域と選択された切換領域情報に基づいて、全面切換動作の開始がコントローラ部５１に指令される。全面切換動作を行う場合は、画像表示装置１が備える全てのドライバ５２が、コントローラ部５１の指示により起動され、不揮発性表示部２の全ての画素電極２２に電圧が印加されることにより画素の表示状態が変化する。その結果、図９（Ａ）に示す表示状態にある不揮発性表示部２の表示画面は、図９（Ｂ）に示す表示状態に切り換えられる。尚、第１の実施形態におけるステップＳＡＡ３の処理が、本発明の切換制御ステップの一例であり、第１の実施形態における制御部４と、ステップＳＡＡ３の処理とが、本発明の切換制御部の一例である。また、第１の実施形態におけるステップＳＡＡ３の全面切換指令に従って、切換動作部５が不揮発性表示部２の表示状態を切り換える動作が、本発明の切換動作ステップの一例である。
【００６７】
ステップＳＡＡ４では、ステップＳＡＡ２において、ＲＴＣ４４による計時が開始された時から、一定時間が経過したか否かにより全面切換動作が完了されたか否かが判断される。一定時間が経過していないと判断された場合は（ＳＡＡ４：ＮＯ）、全面切換動作が完了していないと判断され、ステップＳＡＡ４の処理が実行される。一定時間が経過したと判断された場合は（ＳＡＡ４：ＹＥＳ）、全面切換動作が完了したと判断され、ステップＳＡＡ５の処理が実行される。第１の実施形態では、一定時間は不揮発性表示部２の両半分領域２ａ、２ｂの全面を切り換えるために要する時間である０．７秒とする。ステップＳＡＡ４では、ステップＳＡＡ２において計時が開始されてから０．７秒経過したか否かが判断される。
【００６８】
ステップＳＡＡ５では、ステップＳＡＡ４により一定時間が経過したと判断されると、ステップＳＡＡ２において開始されたＲＴＣ４４による計時が停止される。
【００６９】
尚、第１の実施形態における全面切換動作とは、不揮発性表示部２の全面領域に画像の１ページが全面表示されるものであればよい。例えば一度に複数のドライバ５２が同時に起動され、全面表示が行われる場合や、コントローラ部５１の制御負担を軽減させるために各ドライバ５２は異なるタイミングで順次起動され、全面表示が行われるものであってもよい。
【００７０】
＜部分切換サブルーチン＞
図１２は、不揮発性表示部２の右半分領域２ｂを対象に部分切換動作する部分切換処理を示すフローチャートである。
【００７１】
ステップＳＡＰ１では、不揮発性表示部２に表示させる表示画素データＤ１が、ＲＡＭ４３の一時記憶領域４３１から読み出される。ステップＳＡＰ１において読み出される表示画素データＤ１は、不揮発性表示部２の右半分２ｂ領域に表示されているページの次のページの表示画素データである。尚、全面切換処理が完了した直後にステップＳＡＰ１が実行されるときに、不揮発性表示部２の表示画面は、図９（Ｂ）に示す表示状態にあるものとする。
【００７２】
ステップＳＡＰ２では、カウントが開始される。ステップＳＡＰ２では、制御部４に備えるＲＴＣ４４により、計時が開始される。
【００７３】
ステップＳＡＰ３では、不揮発性表示部２の表示画面の一部領域を切り換える部分切換動作が開始される。第１の実施形態における部分切換動作では、図１に示す不揮発性表示部２の右半分領域２ｂの表示が切り換えられる。ステップＳＡＰ１で読み出された特定の表示画素データＤ１に基づいて、不揮発性表示部２の表示画面の切り換えが実行される。ステップＳＡＰ３では、切り換える領域が右半分領域２ｂと選択された切換領域情報に基づいて、部分切換動作の開始がコントローラ部５１に指令される。第１の実施形態では、部分切換動作を行う場合は、画像表示装置１が備えるドライバ５２のうち、不揮発性表示部２の表示画面の右半分領域２ｂに対応するドライバ５２のみが起動される。部分切換動作においても、不揮発性表示部２の左半分領域２ａに対応するドライバ５２の起動を行わない他は、全面切換動作時と同じ処理が実行される。この結果、不揮発性表示部２の左半分領域２ａは、全面切換動作実行時の表示状態に保持され、右半分領域２ｂの表示状態のみが新たに変化される。これにより、図９（Ｂ）に示す表示状態にある不揮発性表示部２の表示画面は、図９（Ｃ）に示す表示状態に切り換えられる。尚、第１の実施形態におけるステップＳＡＰ３の処理が、本発明の切換制御ステップの一例であり、第１の実施形態における制御部４と、ステップＳＡＰ３の処理とが、本発明の切換制御部の一例である。また、第１の実施形態におけるステップＳＡＰ３の部分切換指令に従って、切換動作部５が不揮発性表示部２の表示状態を切り換える動作が、本発明の切換動作ステップの一例である。
【００７４】
ステップＳＡＰ４では、ステップＳＡＰ２において、ＲＴＣ４４による計時が開始された時から、一定時間が経過したか否かにより部分切換動作が完了されたか否かが判断される。一定時間が経過していないと判断された場合は（ＳＡＰ４：ＮＯ）、部分切換動作が完了していないと判断され、ステップＳＡＰ４の処理が実行される。一定時間が経過したと判断された場合は（ＳＡＰ４：ＹＥＳ）、部分切換動作が完了したと判断され、ステップＳＡＰ５の処理が実行される。尚、第１の実施形態における部分切換動作が完了したか否かの判断方法は、全面切換動作の完了判断方法と同様であり、ＲＴＣ４４による計時が開始された時から、一定時間が経過したか否かにより判断される。
【００７５】
ステップＳＡＰ５では、ステップＳＡＰ４により一定時間が経過したと判断されると、ステップＳＡＰ２において開始されたＲＴＣ４４による計時が停止される。
【００７６】
＜未切換部切換処理＞
図１３は、未切換部切換処理を示すフローチャートである。未切換部切換処理は、部分切換ルーチンで切り換えられなかった不揮発性表示部２の左半分領域２ａを対象に、未切換部切換処理が実行される。
【００７７】
ステップＳＡＵ１では、部分切換動作実行時に切り換えられなかった不揮発性表示部２の左半分領域２ａを切り換えるための表示画素データＤ１が、ＲＡＭ４３の一時記憶領域４３１から読み出される。未切換部切換処理において読み出される表示画素データＤ１は、不揮発性表示部２の右半分領域２ｂに表示されているページと同一の表示画素データＤ１である。尚、ステップＳＡＵ１が実行されるときに、不揮発性表示部２の表示画面には図９（Ｃ）に示す表示状態にあるものとする。
【００７８】
ステップＳＡＵ２では、不揮発性表示部２の表示画面の部分切換処理で切り換えられなかった領域を切り換える未切換部切換動作が開始される。第１の実施形態における未切換部切換動作では、図１に示す不揮発性表示部２の表示画面の左半分領域２ａの切り換えが実行される。ステップＳＡＵ２では、切り換える領域が左半分領域２ａと選択された切換領域情報に基づいて、未切換部切換動作の開始がコントローラ部５１に指令される。本実施形態では、未切換部切換動作を行う場合は、画像表示装置１が備えるドライバ５２のうち、不揮発性表示部２の表示画面の左半分領域２ａに対応するドライバ５２のみが起動される。未切換部切換動作においても、不揮発性表示部２の右半分領域２ｂに対応するドライバ５２の起動を行わない他は、全面切換動作時と同じ処理が実行される。この結果、不揮発性表示部２の右半分領域２ｂは、ステップＳＡＵ２において最後に部分切換動作が実行されたときの表示状態に保持され、左半分領域２ａの表示状態のみが新たに変化する。これにより、図９（Ｃ）に示す表示状態にある不揮発性表示部２の表示画面は、図９（Ｄ）に示す表示状態に切り換えられ、全面表示の状態となる。第１の実施形態では、不揮発性表示部２の左半分領域２ａのみの表示状態を新たに変化させるが、これに限らない。全面切換動作時と同じ、不揮発性表示部２の両半分領域２ａ、２ｂの表示を切り換える処理により、未切換部切換動作としてもよい。尚、第１の実施形態におけるステップＳＡＵ２の処理が、本発明の切換制御ステップの一例であり、第１の実施形態における制御部４と、ステップＳＡＵ２の処理が、本発明の切換制御部の一例である。また、第１の実施形態におけるステップＳＡＵ２の切換指令に従って、切換動作部５が不揮発性表示部２の表示状態を切り換える動作が、本発明の切換動作ステップの一例である。
【００７９】
第１の実施形態において、切換メイン処理の各処理の実行に要する時間はごくわずかな時間とする。不揮発性表示部２の表示画面が図９（Ａ）に示す表示状態のとき、ユーザが前進ボタン３ｂを０．４秒押し続ける場合の、表示画面の変化を説明する。ユーザにより前進ボタン３ｂが押された０．２秒後に、ステップＳＢ１において切換指示が検知されたと判断し、フラグがセットされる。セットされたフラグは、切換メイン処理のステップＳＡ４においてフラグ有と判断され、ステップＳＡ４においてリセットされる。フラグがリセットされた後、ステップＳＡ５において不揮発性表示部２の表示画面が１ページ切り換える全面切換処理が開始し、図９（Ｂ）に示す表示状態になる。フラグがリセットされた後、切換指示監視処理において０．２秒経過後に改めてフラグがセットされ、切換メイン処理のステップＳＡ７でフラグ有と判断される。セットされたフラグは、ステップＳＡ８でリセットされ、不揮発性表示部２の表示画面は部分切換処理が実行される。部分切換処理は再び１ページが切り換えられ、表示画面は図９（Ｃ）に示す表示状態になり、続けて図９（Ｄ）に示す表示状態になる。
【００８０】
同様に、不揮発性表示部２の表示画面が図９（Ａ）に示す表示状態のとき、ユーザが前進ボタン３ｂの０．２秒の押下を複数回連続して繰り返して行う場合の、表示画面の変化を説明する。表示画面が図９（Ａ）に示す表示状態のとき、ユーザが０．２秒押し続けると切換指示監視処理でフラグがセットされる。セットされたフラグは、ステップＳＡ４においてフラグがリセットされる。フラグのリセット後に、不揮発性表示部２の表示画面は１ページ分の切換が行われ、図９（Ｂ）に示す表示状態に切り換えられる。フラグがリセットされた後、図９（Ｂ）に示す表示状態に切り換えられる間にユーザが再び０．２秒押し続けると、再びフラグがセットされ、部分切換処理が実行される。部分切換処理では、不揮発性表示部２の表示画面は図９（Ｃ）に示す表示状態に切り換えられる。図９（Ｃ）に示す表示状態に切り換えられる間に、ユーザが０．２秒押し続けなければ、続けて図９（Ｄ）に示す表示状態に切り換えられ、表示画面は１ページ分の切換処理が行われる。図９（Ｃ）に示す表示状態に切り換えられる間に、ユーザが０．２秒押し続けると、続けて不揮発性表示部２の右半分領域２ｂを対象に部分切換処理が実行され、新たなページに切り換えられる。
【００８１】
上述した構成により、画像表示装置１に備えられた操作部３の前進ボタン３ａ又は後退ボタン３ｂによる指示が継続と判断された場合は、ドライバ５２の起動及び停止が制御されることにより、消費電力が抑えられた不揮発性表示部２の部分切換表示が実行される。前進ボタン３ａ又は後退ボタン３ｂによる指示が非継続と判断された場合であっても、部分切換動作が行われた後に切換動作を行うときは、部分切換動作で切り換えられなかった領域のみを対象に切換動作が行われることから、消費電力が低減された状態で全面表示が実行される。前進ボタン３ａ又は後退ボタン３ｂの指示により、部分切換表示と全面表示とが判断される。ユーザは同一のボタンにより指示するのみで、不揮発性表示部に部分切換表示と全面表示とを実行させることができる。
【００８２】
＜第２の実施形態＞
以下、不揮発性表示部を備えた画像表示装置に本発明を適用した第２の実施形態について図面を参照して説明する。
【００８３】
第２の実施形態は、切換指示の状態であるフラグが取得されるタイミングに関して、第１の実施形態と相違している。すなわち、第１の実施形態では、切換指示の状態であるフラグが取得されるタイミングは、不揮発性表示部２の表示画面の切換が完了した後である。一方、第２の実施形態の切換メイン処理では、切換動作の完了を待たずに切換指示の状態であるフラグが取得される。第２の実施形態の基本構造及び電気的構成は、第１の実施形態とほぼ同じ構成であるので、相違する部分についてのみ説明する。図１４は、第２の実施形態における切換メイン処理のフローチャートであり、計時が開始されてから終了されるまでの一定時間内に、新たに前進ボタン３ａ又は後退ボタン３ｂの押下が行なわれたか否かを判断することにより、切換動作の指示が継続しているか否かを判断する処理手順の一例を示す。
【００８４】
ステップＳＣ１〜ＳＣ４はそれぞれ第１の実施形態における切換メイン処理のステップＳＡ１〜ＳＡ４と同一の処理が行なわれる。ステップＳＣ５〜ＳＣ７の処理は、第１の実施形態における全面切換処理のステップＳＡＡ１〜ＳＡＡ３と同一の処理である。尚、ステップＳＣ１の処理で開始される切換指示監視処理は、第１の実施形態の切換指示監視処理と同一である。尚、ステップＳＣ１において切換指示監視処理が開始されると、制御部４はタイムシェアリング方式での動作を開始する。
【００８５】
ステップＳＣ８は、図９に示すステップＳＡ６の処理と同一の処理が行なわれる。ステップＳＣ８は、ステップＳＣ７による不揮発性表示部２の表示を切り換える全面切換動作が開始されると、処理が実行される。ステップＳＣ４の処理により指示フラグＤ２がリセットされた以後に、ＲＡＭ４３の指示フラグＤ２が新たにセットされていれば、指示フラグＤ２が取得される。ステップＳＣ９では、ステップＳＣ８において指示フラグＤ２ｇａ取得されたか否かが判断される。指示フラグＤ２が取得されたと判断されない場合は（ＳＣ９：ＮＯ）、ステップＳＣ８の処理が実行される。指示フラグＤ２が取得されたと判断された場合は（ＳＣ９：ＹＥＳ）、ステップＳＣ１０の処理が実行される。
【００８６】
ステップＳＣ１０では、ステップＳＣ６において開始されたＲＴＣ４４による計時が停止される。尚、ステップＳＣ１０は、第１の実施形態のステップＳＡＡ５の処理と同一である。
【００８７】
ステップＳＣ１１では、ステップＳＣ６で開始され、ステップＳＣ１０において停止されたＲＴＣ４４の計時時間が判断される。ステップＳＣ１１における一定時間とは、第１の実施形態の切換メイン処理におけるステップＳＡＡ４の一定時間と同一である。ＲＴＣ４４によって計時された時間が、一定時間以上であれば（ＳＣ１１：ＹＥＳ）、切換指示が継続して行われていないと判断し、ステップＳＣ４の処理が実行される。計時された時間が一定時間内であれば（ＳＣ１１：ＮＯ）、切換指示が継続して行われていると判断し、ステップＳＣ１２の処理が実行される。
【００８８】
ステップＳＣ１２は、第１の実施形態における切換メイン処理のステップＳＡ８と同一の処理である。ステップＳＣ１３〜ステップＳＣ１５の処理は、第１の実施形態における部分切換処理のステップＳＡＰ１〜ＳＡＰ３と同一の処理である。
【００８９】
ステップＳＣ１６及びステップＳＣ１７の処理は、ステップＳＣ８及びステップＳ９の処理と同一である。ステップＳＣ１６では、ステップＳＣ１２の処理により指示フラグＤ２がリセットされた以後に、ＲＡＭ４３の指示フラグＤ２が新たにセットされていれば、指示フラグＤ２が取得される。ステップＳＣ１７は、指示フラグＤ２が取得されたと判断された場合は（ＳＣ１７：ＹＥＳ）、ステップＳ１８の処理が実行される。ステップＳＣ１６により指示フラグＤ２が取得されたと判断されない場合は（ＳＣ１７：ＮＯ）、ステップＳＣ１９の処理が実行される。
【００９０】
ステップＳＣ１８では、ステップＳＣ１４において開始されたＲＴＣ４４による計時が停止される。尚、ステップＳＣ１８は、第１の実施形態のステップＳＡＰ５の処理と同一である。
【００９１】
ステップＳＣ１９は、ステップＳＣ１４において開始されたＲＴＣ４４による計時時間が判断される。ステップＳＣ１９において、一定時間が経過していないと判断された場合は（ＳＣ１９：ＮＯ）、ステップＳＣ１５において開始された部分切換動作が完了していないと判断され、ステップＳＣ１６の処理が実行される。計時された時間が一定時間以上経過したと判断された場合は（ＳＣ１１：ＹＥＳ）、ステップＳＣ２０の処理が実行される。
【００９２】
ステップＳＣ２０では、ステップＳＣ１４において開始されたＲＴＣ４４による計時が停止される。尚、ステップＳＣ２０は、ステップＳＣ１８の処理と同一である。
【００９３】
ステップＳＣ２１及びステップＳＣ２２は、それぞれ第１の実施形態における切換メイン処理における未切換部切換処理のステップＳＡＵ１及びステップＳＡＵ２と同一の処理が行なわれる。ステップＳＣ２３及びステップＳＣ２４は、それぞれ第１の実施形態における切換メイン処理のステップＳＡ１３及びＳＡ１４と同一の処理が行なわれる。
【００９４】
第２の実施形態において、切換動作の完了時間内に切換指示が行なわれた場合は、第１の実施形態における不揮発性表示部２の表示画面の切換完了を待って取得される場合より、切換指示が早期に判断されることから、新たな切換処理が迅速に行われる。
【００９５】
（変形例１）
第１及び第２の実施形態では、一部のドライバ５２が停止することで、不揮発性表示部２の部分切換動作が行われる構成であるが、各ドライバ５２が備える複数のゲート線５２３またはソース線５２４のうち、一部のゲート線５２３またはソース線５２４へ電圧を印加させない制御を行うことにより、部分切換動作とする構成であってもよい。この実現方法としては、特開２００８−１９７４９１号公報に開示されている。この場合、不揮発性表示部２の表示画面は、より細かな領域に対しての部分切換動作を行うことが可能となる。また、一部のゲート線５２３及びソース線５２４へ電圧を印加させないことにより、不要な電力の消費が低減される。
【００９６】
（変形例２）
第１及び第２の実施形態では、前進ボタン３ａ又は後退ボタン３ｂの操作開始時に、不揮発性表示部２の表示画面が切り換えられる切換動作は、全面切換動作であったが、これに限定されない。前進ボタン３ａ又は後退ボタン３ｂの操作開始時から、部分切換表示が実行される構成であっても良い。
【００９７】
（変形例３）
第１及び第２の実施形態では、不揮発性表示部２の表示の切換動作はドライバ５２毎に起動制御が行われ、色が変わらない画素に対しても電圧の印加が行われているが、切換動作前後の不揮発性表示部２の表示色が変化する画素のみに電圧の印加が行われる構成であっても良い。この場合、ドライバ５２単位で表示の切換制御が行われた場合より、更に表示の切換動作時に生じる消費電力が抑えられる。
【００９８】
（変形例４）
第１及び第２の実施形態では、不揮発性表示部２に表示される画像に関する表示データは、図４に示すメモリカード７に記憶されたデータであったが、これ以外に、インターネットや無線通信手段を介して外部記憶装置から表示データが取得可能な構成であってもよい。
【００９９】
（変形例５）
第１及び第２の実施形態では、画像表示装置１に備わる電源部１０は、内部バッテリ電源から構成されているが、外部電源から電力が供給される構成であってもよい。
【０１００】
（変形例６）
第１及び第２の実施形態では、各画素電極２２に印加されることにより、各画素の表示状態が変化されるが、複数の画素電極２２に印加されることによりが１つの画素の表示状態を変化させる構成であってもよい。
【０１０１】
（変形例７）
第１及び第２の実施形態においては、黒色または白色の２値の表示が不揮発性表示部２に行われることで、画素の表示状態が変化している。この２値の表示以外にも、電圧が印加されることにより、空間内に存在する粒子の分布状態が変化する場合は、不揮発性表示部２の画素の表示色が変わらない場合であっても、画素の表示状態が変化することに相当する。また、不揮発性表示部２が多階調表示を可能とする構成である場合は、階調を変化させる場合も画素の表示状態が変化することに相当する。
【０１０２】
（変形例８）
第１及び第２の実施形態において、計時される一定時間は不揮発性表示部２の表示を切り換えるために必要な時間であるが、これに限らず表示を切り換える切換動作を実行させるか否かを判断できる時間であればよい。例えば、不揮発性表示部２の表示を切り換えるために長時間を要する場合は、計時開始後の短い一定時間内に指示が行なわれた場合に継続と判断される構成であってもよい。また、短時間で不揮発性表示部２の表示を切り換えることが可能であれば、表示が切り換えられてから指示を検知するための時間が一定時間設けてもよい。
【０１０３】
（変形例９）
第１及び第２の実施形態において、部分切換処理で表示が切り換えられる所定部分は右半分領域２ｂとしているが、ユーザが全面切換動作を必要とするページとそうでないページとが判断できる表示が行われていればよい。例えば、不揮発性表示部２の上部を対象に部分切換動作が行われた場合、ユーザは、上方から下方に向かって記載された文章などの前半部分の内容を理解することができ、その理解を基に切換動作を選択することができる。不揮発性表示部２の下部を対象に部分切換動作が行われていた場合は、一般にページ番号が最下部に表示されることから、ユーザはページ番号により全面切換動作を行うか、部分切換動作を続けるかを判断することができる。また、第１及び第２の実施形態においては、新聞や書籍などは右方から左方に向かって文章が記載されていることが多いことから、表示されたページに記載された文章の文頭を読むことができ、ユーザが希望するページか否かを判断することができる。
【０１０４】
（変形例１０）
第１及び第２の実施形態において、部分切換処理で表示が切り換えられる所定部分は常に同一領域であるが、不揮発性表示部２の表示画面の一部が部分切換処理で切り換えられる構成であればよい。例えば、切換動作の指示が継続と判断される間に部分切換処理が２回以上続けて行なわれる場合に、２回目以降の部分切換処理は、直前の部分切換処理で切り換えられた領域の少なくとも一部を含まない領域が切り換えられ、不揮発性表示部の表示画面は、全面切換処理で切り換えられた画像と、複数回の部分切換処理で切り換えられた複数画像とが表示されてもよい。
【０１０５】
（変形例１１）
第１及び第２の実施形態では、切換指示が検知されると、指示フラグＤ２がＲＡＭ３２にセットされ、切換指示が検知された状態が保持される構成である。しかし、切換指示が検知されないときは、ＲＡＭ３２にセットされる指示フラグＤ２をリセットする処理が行なわれてもよい。切換指示の検知の有無によって、フラグのセット及びリセットを行うことにより、フラグが取得されたときの正確な切換指示の状態を判断することができる。
【０１０６】
（変形例１２）
第２の実施形態では、計時が開始されてから一定時間内に前進ボタン３ａ又は後退ボタン３ｂの押下が行なわれた場合に、切換指示が継続と判断される構成である。しかし、切換動作の指示が継続しているか否かの判断は、通常の全面切換指示と区別できるものであればよい。例えば、前進ボタン３ａ又は後退ボタン３ｂが一定時間内に２回以上の所定回数押下された場合に、継続と判断する構成であってもよい。この場合、切換指示監視処理において２回以上検知されたときに、一時記憶領域４３２に指示フラグがセットされることにより、継続と判断される。
【符号の説明】
【０１０７】
１  画像表示装置
２  不揮発性表示部
３  操作部
３ａ  前進ボタン
３ｂ  後退ボタン
４  制御部
５  切換動作部
６  バッテリ
４１  ＣＰＵ
４２  ＲＯＭ
４３  ＲＡＭ
４４  ＲＴＣ
５１  コントローラ部
５２  ドライバ
Ｐ１  メイン処理プログラム
Ｐ２  切換指示状態監視プログラム
【図１】
2010204418.tif 000003
【図２】
2010204418.tif 000004
【図３】
2010204418.tif 000005
【図４】
2010204418.tif 000006
【図５】
2010204418.tif 000007
【図６】
2010204418.tif 000008
【図７】
2010204418.tif 000009
【図８】
2010204418.tif 000010
【図９】
2010204418.tif 000011
【図１０】
2010204418.tif 000012
【図１１】
2010204418.tif 000013
【図１２】
2010204418.tif 000014
【図１３】
2010204418.tif 000015
【図１４】
2010204418.tif 000016